(57)【要約】【課題】高出力と高燃料利用効率を得ることができる燃料電池を提供することを目的とする。【解決手段】燃料極と、酸化剤極と、燃料供給口と、液体燃料を前記燃料供給口から前記燃料極まで輸送するための多孔体層とを具備する燃料電池であって、前記多孔体層は、前記燃料供給口からの距離および前記燃料極からの距離のうち少なくとも一方に応じて、空隙率、透過係数および屈曲係数のうち少なくとも一つの値が異なることを特徴とする。【選択図】図１
2007095541.tif 000002
【特許請求の範囲】
【請求項１】
燃料極と、酸化剤極と、燃料供給口と、液体燃料を前記燃料供給口から前記燃料極まで輸送するための多孔体層とを具備する燃料電池であって、
前記多孔体層は、前記燃料供給口からの距離および前記燃料極からの距離のうち少なくとも一方に応じて、空隙率、透過係数および屈曲係数のうち少なくとも一つの値が異なることを特徴とする燃料電池。
【請求項２】
前記多孔体層は複数の多孔体部材を有し、前記多孔体部材のうちの少なくとも一つが、前記燃料極と接触するように設けられ、前記燃料供給口から前記燃料極までの距離が大きくなるに従って、前記燃料極と接触する前記多孔体部材の空隙率および透過係数のうち少なくとも一方の値を漸次大きくするか、または、前記燃料極と接触する前記多孔体部材の屈曲係数の値を漸次小さくすることを特徴とする請求項１記載の燃料電池。
【請求項３】
前記多孔体層が粒子を含み、
前記粒子の直径ｄを選択し、その選択した直径ｄと下式（１）とに基づいて前記多孔体層の空隙率および透過係数のうち少なくとも一方の値を変えることを特徴とする請求項１または２のいずれか一方記載の燃料電池。
【数１】
2007095541.tif 000006
ｄ；粒子の直径
ε；空隙率
Ｋ；透過係数
Ｃ；Ｃａｒｍａｎ−Ｋｏｚｅｎｙの比例定数からＢｌａｋｅ−Ｋｏｚｅｎｙの比例定数までの範囲の定数（Ｃａｒｍａｎ−Ｋｏｚｅｎｙの比例定数とＢｌａｋｅ−Ｋｏｚｅｎｙの比例定数とを含む）
【請求項４】
前記多孔体層は、空隙率、透過係数および屈曲係数のうち少なくとも一つの値がそれぞれ異なるものであって、かつ前記燃料供給口からの距離に応じて厚みが漸次増加または減少する複数の多孔体部材が積層されたものを有することを特徴とする請求項１ないし３のうちのいずれか１項記載の燃料電池。
【請求項５】
前記多孔体層は空隙率、透過係数および屈曲係数のうち少なくとも一つの値がそれぞれ異なる複数の多孔体部材を有し、前記複数の多孔体部材は、前記燃料供給口との間の距離が大きくなるに従って、空隙率および透過係数のうち少なくとも一方の値が大きくなるように、または、屈曲係数の値が小さくなるように燃料極に沿って並べられていることを特徴とする請求項１ないし４のうちのいずれか１項記載の燃料電池。
【請求項６】
前記多孔体層は複数の多孔体部材と少なくとも一つの遮蔽部材を有し、前記燃料供給口との間の距離が大きくなるに従って、前記複数の多孔体部材のうち少なくとも一つの燃料極側の面の面積が漸次増加するように、前記複数の多孔体部材の間に前記遮蔽部材が配置されていることを特徴とする請求項１ないし５のうちのいずれか１項記載の燃料電池。
【請求項７】
前記多孔体層は複数の多孔体部材と少なくとも一つの遮蔽部材を有し、前記燃料供給口との間の距離が大きくなるに従って、前記多孔体層の単位面積あたりの開口面積が大きくなるように前記遮蔽部材において開口する貫通孔に前記多孔体部材が挿入されていることを特徴とする請求項１ないし６のうちのいずれか１項記載の燃料電池。
【請求項８】
前記多孔体層は複数の多孔体部材と複数の遮蔽部材を有し、前記燃料供給口との間の距離が大きくなるに従って、前記多孔体層の単位面積あたりの開口面積が小さくなるように前記多孔体部材の少なくとも一部において開口する貫通孔に前記遮蔽部材が挿入されていることを特徴とする請求項１ないし７のうちのいずれか１項記載の燃料電池。
【請求項９】
前記燃料供給口からの距離に応じて、前記多孔体層の少なくとも一部を圧縮することにより空隙率、透過係数および屈曲係数のうち少なくとも一つの値を漸次変えたことを特徴とする請求項１ないし８のうちのいずれか１項記載の燃料電池。
【請求項１０】
前記多孔体層が複数の多孔体部材を有し、前記複数の多孔体部材のうち少なくとも一つが、前記燃料供給口との間の距離が大きくなるに従って、隣接する多孔体部材に対する接触面積が大きくなっていることを特徴とする請求項１ないし９のうちのいずれか１項記載の燃料電池。
【請求項１１】
前記多孔体層が複数の多孔体部材を有し、前記複数の多孔体部材のうち少なくとも一つが、前記燃料供給口との間の距離が大きくなるに従って、厚みが小さくなっていることを特徴とする請求項１ないし１０のうちのいずれか１項記載の燃料電池。
【請求項１２】
前記多孔体層が、屈曲係数が１である多孔体部材を含むことを特徴とする請求項１ないし１１のうちのいずれか１項記載の燃料電池。
【発明の詳細な説明】
【技術分野】
【０００１】
本発明は、燃料電池に関する。
【背景技術】
【０００２】
近年、硫黄酸化物や窒素酸化物などの有害物質を排出しないクリーンな電源として、燃料電池への期待が非常に高まりつつあり、自動車や家庭用電源、携帯情報機器など小型の電源システムも多数提案されている。特に、直接メタノール型燃料電池（ＤＭＦＣ）は、純メタノールもしくはメタノールと水の混合液を燃料とすることから、水素を燃料とするタイプなどの燃料電池と比較して燃料の取り扱いが容易である上に加湿機構も不要で、また動作温度が低いことから熱制御機構も少なく済む。これらの利点は小型機器向けの小型燃料電池としてＤＭＦＣが適することを意味する。
【０００３】
ＤＭＦＣへの燃料供給方法としてはシステムの小型化の観点から液体供給型と内部気化型が優れており、さらに液体供給型は、ポンプなどの補機を用いて流路板に液体燃料を送給し、この流路板から燃料極に液体燃料を供給するアクティブ型と主に重力や毛管力、浸透力などの自然力を利用して液体燃料を燃料極に供給するパッシブ型とに分けられ、各方式の利点をそれぞれ活かした多方面へのＤＭＦＣの適用が進められている。
【０００４】
主に自然力を利用するタイプでは、ポンプなどの補機なしに燃料極に燃料供給ができ、特に燃料流路に多孔体を用いて毛管力と浸透力を利用して液体燃料を輸送する方式を採れば、重力を利用する場合と比較して、燃料電池の姿勢が変化するおそれがある小型携帯機器用の燃料電池に対しても安定した燃料供給が期待できる。
【０００５】
ただし、従来より用いられている多孔体の毛管力と浸透力を利用した輸送力だけで複数のセルの燃料極に液体燃料を供給する場合、極力燃料タンクから燃料極までの距離を一定とし、燃料を燃料極に均一に供給する努力が必要である。
【０００６】
例えば、特許文献１に示す従来の多孔体による燃料極への燃料供給を行う燃料電池では、燃料極への燃料供給を均一に行うために、各単位セルを液体燃料誘導部を中心に放射状に配置し、この液体燃料誘導部の上部に配置されている燃料タンクから液体燃料を毛細管力または重力によって液体燃料誘導部に供給することにより液体燃料を各単位セルに供給するものである。
【０００７】
また、特許文献２に示す燃料電池では、微小炭素多孔体よりなる棒状の燃料電極体の外表部に電解質層を巻き付けるように構築することで燃料極への燃料供給を均一に行おうとするものである。
【０００８】
ここで、ＤＭＦＣにおいては、出力や燃料利用効率を低下させるメタノール・クロスオーバー現象を抑制するには燃料極には燃料を最適な濃度、例えばメタノール濃度３Ｍ（メタノールと水のモル比１：１０）以下、で供給する必要がある。ところが燃料極では、メタノール・クロスオーバー現象などがなければ理論的にはメタノールと水が１：１のモル比、メタノール濃度に換算すると約１７Ｍ（「１Ｍ」は「１モル／リットル」を示す）、で反応する。
【０００９】
したがって、ＤＭＦＣにおいてメタノール・クロスオーバー現象を抑制しつつ燃料を供給するには、一つの手法としては特許文献１や特許文献２のように、燃料極に最適な薄い濃度の燃料を供給し、余った水を多く含む残燃料を回収することが挙げられる。
【００１０】
しかし、特許文献１や特許文献２の燃料電池では、余分な残燃料回収機構の組み込みや発電に不要な水の保持機構が必要となるばかりでなく、その構造のままでは燃料タンクに対して距離が遠いセルほど燃料極に供給されるメタノール濃度が薄くなるという問題が生じる。一般に、従来の多孔体を使用した燃料電池では、燃料極において、燃料タンクから近い部分には濃度の高い燃料が供給され、燃料タンクから離れた部分には希薄な燃料が供給される。供給されるメタノール濃度が過剰に高いとメタノール・クロスオーバーが生じ、一方、供給されるメタノール濃度が低いと発電不足になる傾向がある。特に、メタノール水溶液を燃料極に供給するための流路板を有さず、主に多孔体におけるメタノール水溶液の浸透力によって燃料を供給するタイプの燃料電池では、流路板を用いるタイプの燃料電池に比較して、燃料タンクからの距離によってメタノール水溶液の濃度不均衡が大きくなる傾向がある。このため、燃料タンクからの距離に依存することなく、燃料極に供給されるメタノール水溶液の濃度を最適化することができる技術が要望されている。
【００１１】
ところで、特許文献３では、燃料流路前半でのメタノール・クロスオーバー及び燃料流路後半でのメタノールの供給不足を抑制するために、燃料の下流側に行くほどメタノール透過係数が大きくなっている拡散層を燃料極に備えたアクティブ型の直接メタノール型燃料電池が記載されている。
【００１２】
しかしながら、メタノール透過係数は燃料極の触媒層や固体高分子電解質膜の厚みに依存するため拡散層の物性のみを制御するだけではメタノール透過係数を制御することができない。このため、実際には所望のメタノール透過係数を有する拡散層を作製するのは非常に困難である。さらに、特許文献３の燃料電池は比較的一定濃度の燃料を直接拡散層の全面に渡って供給することができる流路板を有するタイプであることから、毛管力や浸透力を利用するタイプの多孔体に比較して拡散層の厚みが薄い。このため、メタノール透過係数が制御し易いのに対して、多孔体の毛管力や浸透力を利用するタイプの燃料電池では多孔体の占める割合が大きいため、メタノール透過係数を所望の範囲にコントロールするのは非常に難しく、現実的ではない。
【００１３】
特許文献４には、水の吸い上げ、放出が可能なカソード／アノードウィッキング材料を備えるカソード／アノードウィッキング構造体が組み込まれた、あるいは、流体連結されたカソード／アノードと、アノードに液体燃料を送る液体燃料流路と、液体燃料流路内で水と混合され水性液体燃料となる高濃度液体を液体燃料流路に送るための高濃度液体燃料ラインとを備えるアクティブ型の液体燃料電池が記載されている。
【００１４】
しかしながら、ウィッキング構造体は気液界面が存在しないと機能しない。多孔体の毛管力や浸透力を利用して燃料を供給する燃料電池の場合、多孔体は燃料が十分に浸透し、気相が存在しない状態で使用されることから、ウィッキング構造体を代用してもメタノール水溶液濃度を最適化することはできない。また、特許文献４には、ウィッキング材料を圧縮することにより、ウィッキング材料に吸い上げられた液体燃料を圧縮率の相対的に小さい材料の一部分から圧縮率の相対的に大きい別の部分へ流れるように方向づけできることが記載されているが、圧縮率を高くすると燃料に働く抵抗が大きくなるため、このようなウィッキング材料を燃料供給のために使用すると燃料濃度の不均衡を低減するどころか、増長し兼ねない。
【００１５】
特許文献５には、反応体及び生成物の輸送の制御のために、液体燃料の流れ方向に対して直角に溝がつけられた、あるいは貫通された平面内不均等構造を有する電極基板を備えたアクティブ型の電気化学的燃料電池が記載されている。
【００１６】
しかしながら、かかる電極基板は、カソード基板としては酸化剤に含まれる水分を除去し、カソードに供給される酸化剤濃度を一定とするものであり、アノード基板としてはメタノールと二酸化炭素の輸送をコントロールするものであるため、メタノール水溶液の濃度勾配を低減することはできない。
【００１７】
ところで、特許文献６には、無加湿の酸化剤ガス（空気）を供給しても固体高分子膜を全体にわたって湿潤状態に保つために、ガス導入口付近におけるカソード側のガス拡散層の水分透過性が、その他の領域におけるカソード側のガス拡散層の水分透過性よりも低い構成であるアクティブ型の固体高分子型燃料電池が記載されている。しかしながら、特許文献６には、主に自然力を利用して燃料極に燃料を供給するための多孔体については言及されていない。
【特許文献１】特開２００３−２９７３９１号公報
【特許文献２】特開２００４−６３２００号公報
【特許文献３】特開２００２−１１０１９１号公報
【特許文献４】特開２００３−３６８６６号公報
【特許文献５】特表平１１−５１１２８９号公報
【特許文献６】特開２００１−６７０８号公報
【発明の開示】
【発明が解決しようとする課題】
【００１８】
本発明は、高出力と高燃料利用効率を得ることができる燃料電池を提供することを目的とする。
【課題を解決するための手段】
【００１９】
本発明の燃料電池は、燃料極と、酸化剤極と、燃料供給口と、液体燃料を前記燃料供給口から前記燃料極まで輸送するための多孔体層とを具備する燃料電池であって、
前記多孔体層は、前記燃料供給口からの距離および前記燃料極からの距離のうち少なくとも一方に応じて、空隙率、透過係数および屈曲係数のうち少なくとも一つの値が異なることを特徴とする。
【発明の効果】
【００２０】
本発明によれば、高出力と高燃料利用効率を得ることができる燃料電池を提供することができる。
【発明を実施するための最良の形態】
【００２１】
本明細書中で使用する用語を次のようにそれぞれ定義する。
【００２２】
「自然力」とは、自然法則に従って生じる液体燃料を輸送する力、例えば、毛管力、浸透力、重力などをいう。自然法則を利用して生じる機械力（例えばポンプ圧力）は、自然力ではない。
【００２３】
「毛管力」とは、毛管現象により生じる液体を移動させる力をいう。すなわち、液体−固体界面エネルギーと気体−固体界面エネルギーとの差分エネルギーに起因する力（表面張力）をいう。
【００２４】
「浸透力」とは、気液界面が存在しない状態において、液体が固体の間隙を通過する力をいう。例えば、湿潤状態にある多孔体部材のなかで液体を移動させる流体圧力をいう。流体圧力は、例えば、液体が気化するときの気化膨張力や液体を押圧する圧縮力などをいう。
【００２５】
本発明の実施形態は２種類以上の液体の混合液を燃料とする燃料電池の燃料供給に係り、特に多孔体層内の液体燃料に働く自然力を利用して燃料供給を行う燃料電池に関する。しかしながら、本発明の実施形態は、ポンプ等の補器の圧力等を利用して自然力を補助することを妨げるものではない。なお、前述の特許文献３〜６の燃料電池は液体燃料を供給するため流路板を保持し、回収された残燃料がこの流路板を介して循環、再利用されるのに対して、本実施形態に係る燃料電池は残燃料のための循環流路を提供する流路板を必ずしも保持する必要はない。
【００２６】
以下、図面を用いて本発明の実施の形態について説明する。
【００２７】
＜第１の実施形態＞  
図１に本発明の第１の実施形態に係る燃料電池の分解斜視図を示す。
【００２８】
図１の燃料電池に備えられた膜電極接合体（ＭＥＡ）１は、燃料極２とプロトン伝導性膜（ＰＥＭ）３と酸化剤極４とがこの順に積層された構造を有する。このＭＥＡ１は、液体燃料（例えば、メタノール水溶液）が燃料極２に、酸素を含む空気（以下、酸化剤と称する）が酸化剤極４に供給されることで発電を行う性質のものである。燃料極２および酸化剤極４は、それぞれ拡散層（集電板）に触媒層が積層された構造を有する。燃料極２および酸化剤極４の触媒層は、それぞれＰＥＭ３に対向している。触媒層は、例えばＰｔやＲｕなどの触媒粒子を担持する担持触媒とプロトン伝導性物質と必要により導電材とを含むものである。拡散層は、例えば多孔体シートであり、この多孔体シートとしては、例えばカーボンペーパーを挙げることができる。ＰＥＭ３は、スルホン酸基またはカルボン酸基などの陽イオン交換基を有するフルオロカーボン重合体からなるものである。ＰＥＭ３としては、例えばＮａｆｉｏｎ（Ｄｕ  Ｐｏｎｔ社の登録商標）等を用いることができる。
【００２９】
そして、このＭＥＡ１は、酸化剤極４がフレーム６の底部に設けられた空気取り込み穴５に接する向きでフレーム６に納められる。酸素を含む空気（酸化剤）はこの空気取り込み穴５を通して大気から酸化剤極４に供給される。なお、酸化剤極４の湿りや燃料電池システムの温度に注意して空気取り込み穴５の近傍にファンなどで空気を送れば、大気と同濃度の酸素を常に酸化剤極４に送れるため、ＭＥＡ１の発電能力の低下防止を期待出来る。
【００３０】
一方、ＭＥＡ１の面のうち空気取り込み穴５に接しない面である燃料極２側の面に多孔体層７が重ねられる。この多孔体層７は、自然力により液体燃料を後述する燃料供給口９ａから燃料極２まで輸送するものであり、燃料供給口９ａからの距離および燃料極２からの距離のうち少なくとも一方に応じて、空隙率、透過係数および屈曲係数のうち少なくとも１つの値が異なることを特徴とするものである。
【００３１】
多孔体層７は、第１の多孔体層８と第２の多孔体層９とが積層された２層構造を有する。燃料極２の直上に隙間を空けずに第１の多孔体層８が重ねられ、更に第１の多孔体層８の直上に第２の多孔体層９が重ねられる。第１の多孔体層８は、１２種類の多孔体部材#101〜#112が燃料極２に沿ってＸ方向に順次並べられた構造を有する。第２の多孔体層９は、単一の多孔体部材#113から形成されている。  
ここで、図１に示すように、「Ｘ方向」とは、後述する燃料供給口から多孔体層に液体燃料が流れ込む方向に平行な方向をいう。「Ｙ方向」とは、燃料供給口から多孔体層に液体燃料が流れ込む方向に直交する方向をいう。「Ｚ方向」とは、燃料極の厚み方向をいう。本明細書中においては、燃料極に向かって燃料供給口からＺ方向に離れる方向を下方（下）といい、その反対方向を上方（上）という。
【００３２】
そして、ふた１０で多孔体層７およびＭＥＡ１に圧力を掛け、これらをフレーム６内に固定する。このとき、第２の多孔体層９の一端はフレーム６やふた１０に覆われず露出する構造とする。この露出した一端（曝露部９ａ）は燃料タンク１１と接し、この曝露部９ａが多孔体部材流路の燃料供給口となる。なお、燃料極２から発生するＣＯ2が上記機構だけでは外部に排出しきれない場合は第１の多孔体層８の燃料極２に接する側の面に溝を設けるなどの対策を採ることができる。また、ＭＥＡ１で生成した電力を取り出すには燃料極２と酸化剤極４の近傍にそれぞれ外部回路が必要だが、上記ＣＯ2排出対策法に応じて外部回路の設け方を変更することができる。ＣＯ2の排出機構および外部回路はここでは図示しない。また、燃料極２の拡散層は省略することができ、燃料極２の触媒層に直接多孔体層７を積層させることもできる。
【００３３】
一方、燃料タンク１１は、容器１２に一部スリット１３を設け、内部に多孔体部材１４を内張りしたものである（以下、この多孔体部材１４を内張多孔体部材と呼ぶ）。この燃料タンク１１の内部を、燃料極２に必要とされる濃度よりも高濃度のメタノール水溶液（以下、高濃度メタノール水溶液と称する）で満たす。ここで、スリット１３からはタンクの内張多孔体部材１４が露出している。
【００３４】
そして、フレーム６から露出している第２の多孔体層９の一部（曝露部９ａ）が、燃料タンク１１のスリット１３から露出している内張多孔体部材１４と接するように、燃料タンク１１とフレーム６は接合される。ここで、燃料タンク１１の開口部から露出している内張多孔体部材１４と第２の多孔体層９とは接合時に外気と触れない構造にして、高濃度メタノール水溶液の外部への蒸発を防ぐのが望ましい。また、燃料タンク１０に納める高濃度メタノール水溶液量と、多孔体層７と、必要により設けられるＣＯ2排出機構とは、メタノール水溶液が多孔体部材内で保持され、特に天地可能な燃料電池を実現する場合には、Ｘ，Ｙ，Ｚ方向のどの方向に重力が働いてもメタノール水溶液が漏れないように設計するのが望ましい。
【００３５】
ここで、上記にて変えるべき多孔体部材のパラメータとして空隙率、屈曲係数および透過係数を指定した理由を述べる。
【００３６】
空隙率εと屈曲係数τはメタノールや水の拡散係数に影響し、特には濃度分布を支配する物性値である。透過係数Ｋは多孔体部材内の流動抵抗を示し、特には圧力分布を支配する物性値である。
【００３７】
まず、屈曲係数τについて図２を参照して説明する。  
屈曲係数τは図２のΔｘと、Δｘ間で実際に濃度拡散に関与する孔の長さｌpから、理論的には下式（２）で定義される。
【００３８】
τ＝ｌp／Δｘ      ・・・（２）
しかし、実際には多孔体部材内の細孔の拡大・縮小の影響も屈曲係数τに含ませるために、次の（ｉ）〜（iv）のような手順で屈曲係数τを決める。
【００３９】
（ｉ）多孔体部材がない場合の拡散係数Ｄ（ｍ2／ｓ）を測定する。  
（ii）多孔体部材がある場合の拡散係数Ｄeff（ｍ2／ｓ）を測定する。  
（iii）多孔体部材の空間部分の割合から空隙率εを計算する。空隙率εは下式（３）で算出される。  
ε＝（Ｖa−Ｖ）／Ｖa      ・・・（３）  
ここで、Ｖa：見かけ上で多孔体部材の占める体積（ｍ3）、Ｖ：多孔体部材が真に占める体積（ｍ3）、である。  
（iv）Ｂｒｕｇｇｅｍａｎの関係式より屈曲係数τは下式（４）から求まる。  
τ＝（ｌｏｇＤeff−ｌｏｇＤ）／ｌｏｇε      ・・・（４）
多孔体部材内では空隙率εと屈曲係数τは濃度の拡散係数を支配し、拡散係数はＢｒｕｇｇｅｍａｎの関係式（５）で表される。
【００４０】
Ｄeff＝ετＤ      ・・・（５）  
ここで、前述したようにＤeff：多孔体部材内の拡散係数、ε：空隙率、τ：屈曲係数（τ≧１）、Ｄ：拡散係数、である。すなわち、空隙率εを大きくするか、あるいは屈曲係数τを小さくすると、多孔体部材の拡散係数Ｄeffを大きくすることができ、液体燃料を浸透し易くすることができる。
【００４１】
また、多孔体部材内では透過係数Ｋは液体燃料の圧力勾配を支配し、圧力勾配はＤａｒｃｙの法則式（ダルシーの式とも称される）（６）で表される。  
【数２】
2007095541.tif 000003
【００４２】
ここで、∇ｐ：圧力勾配（Ｐａ／ｍ）、μ：液体の粘性係数（Ｐａ・ｓ）、Ｋ：透過係数（ｍ2）、ｕ：液体の見掛け速度（ｍ／ｓ）、である。すなわち、透過係数Ｋを大きくすると、多孔体部材内での燃料の流速を向上させることができる。
【００４３】
本実施形態では最も単純な例として、多孔体部材#101〜#113の一つ一つは同じ物性値を有するものを考える。  
このとき、特に多孔体部材#101〜#112については、互いに異なる特性を持たせ、多孔体部材#101〜#112のそれぞれの直下にあるＭＥＡ１の領域に応じて多孔体部材#101〜#112の空隙率、屈曲係数および透過係数のうち少なくとも一つの物性値を変える。図３に、図１の第１の多孔体層を概念的に説明するための断面図を示す。図３中、多孔体部材中を浸透する液体燃料の濃度（液体燃料のメタノール濃度）を白黒の濃淡で示した。薄色部分がメタノール濃度が高い部分を示し、濃色部分がメタノール濃度が低い部分を示している。また、図３中、矢印は液体燃料の浸透方向を示している。
【００４４】
多孔体部材#101〜#112は、燃料供給口に近い方からＸ方向に遠い方に向かって燃料極２に沿って、空隙率εと透過係数Ｋが小さいものから順に大きいものへと並ぶように配置されている。ここで、多孔体部材#101の空隙率と透過係数が最も小さく、多孔体部材の＃番号が大きくなるにつれて空隙率と透過係数は大きくなり、多孔体部材#112の空隙率と透過係数が最も大きい。第２の多孔体層９において、燃料供給口９ａから多孔体部材#113内に浸透した液体燃料は、多孔体部材#113内の抵抗を受けて燃料供給口からＸ方向に離れるにつれメタノール濃度が低下し、濃度勾配が生じる。引き続き、第２の多孔体層９から第１の多孔体層８へと浸透した液体燃料は、多孔体層８では燃料供給口からＸ方向に離れるほど液体燃料が浸透し易い構造になっているため、濃度勾配が低減される。この結果、燃料極２に供給される液体燃料の燃料極２の領域ごとの濃度差を低減することができる。
【００４５】
図３では、空隙率εと透過係数Ｋが異なる多孔体部材#101〜#112を組合せた例を説明したが、本発明はこれに限られるものではなく、空隙率εおよび透過係数Ｋのうち一方だけが異なる多孔体部材を上述したように配置した場合にも同様の効果が得られる。また、燃料供給口からＸ方向に、屈曲係数τが大きい多孔体部材から順に屈曲係数τが小さい多孔体部材へと並べた場合にも同様の効果が得られる。メタノール濃度の不均衡は多孔体層の厚み方向（Ｚ方向）についても生じるため、多孔体部材を燃料供給口に近い方（燃料極と離れた方）から順に上述したように厚み方向に積層した積層体を用いることによっても、上記効果が得られる。
【００４６】
これにより、第１の多孔体層８において多孔体部材#101〜#112の空隙率、屈曲係数および透過係数が全て同一である場合、すなわち第１の多孔体層８が単一の多孔体部材から形成されている場合と比較して、燃料極２に供給される液体燃料の濃度不均衡を低減することができる。この結果、高い出力と高い燃料利用効率が得られる燃料電池運転条件を持つ燃料電池を実現することができる。なお、上記濃度差の低減の実現に関して、多孔体部材の調整パラメータとして濃度に関わらない透過係数も含めた理由は、濃度分布は流動にも大きく支配されるためである。
【００４７】
上述したように、燃料タンクからある燃料極までの距離に応じて多孔体部材#101〜#112の空隙率・屈曲係数・透過係数を変えて、燃料極のどの領域にも極力均一な濃度でメタノール水溶液を供給することが本実施形態の大きな特徴である。
【００４８】
すなわち、前述のように燃料極で消費されるメタノールと水の比で燃料タンクの高濃度メタノール水溶液のメタノール濃度が決まる一方で、燃料極には燃料タンクに収められている高濃度メタノール水溶液よりも低い濃度のメタノール水溶液を供給しなければならない。このとき、燃料タンクからの距離が燃料極の領域ごとに異なる場合でも、供給されるメタノール水溶液の濃度差はできるだけ小さく保つ必要があり、それを実現できるように液体燃料が通る多孔体部材に設計を施すことが、この送液方法で高い出力と高い燃料利用効率を得る大きなポイントとなるからである。
【００４９】
また、この燃料極の領域ごとに供給されるメタノール水溶液の濃度差の低減に加えて、燃料極の領域ごとに供給されるメタノール水溶液の圧力差をも低減できることも、本実施形態の大きな特徴である。
【００５０】
燃料極内で圧力が不均一だと燃料極内に存在するＣＯ2気泡がある場所に偏在するためメタノール水溶液の供給の妨げとなるおそれがある。それを防ぐため圧力の均一化を実現できるように液体燃料が通る多孔体部材に設計を施すことが、この送液方法で高い出力と高い燃料利用効率を得る大きなポイントとなる。
【００５１】
また、液体燃料の濃度差や圧力差に注目せずとも、本実施形態で述べるところの、燃料供給口からの距離に応じた燃料極の領域ごとに多孔体部材#101〜#112の空隙率・屈曲係数・透過係数を変えることは燃料電池の出力と燃料利用効率の向上に寄与する。
【００５２】
すなわち、例えば、上記まではメタノール濃度に応じて出力が変化するＭＥＡを対象に話を進めたが、仮にメタノール濃度に関わらず所定の出力を発するＭＥＡが存在したとしても、上記の濃度分布ほど影響は大きくないにしろ、ＣＯ2排出、ＭＥＡと多孔体部材との接触、多孔体部材を介した集電など、燃料電池運転時の多くの現象に対して多孔体部材の空隙率・屈曲係数・透過係数が燃料電池の出力や燃料利用効率に影響を及ぼすからである。
【００５３】
図１では、異なる物性値を有する１２種類の多孔体部材#101〜#112を組み合わせることにより、メタノール濃度の不均衡を低減する第１の多孔体層を実現する例を説明したが、本実施形態はこれに限られるものではない。組み合わせる多孔体部材の数は２〜１１種類とすることもできるし、１３種類以上とすることもできる。これは、燃料電池のサイズや所望の特性によって決定することができる。単一の多孔体部材について上述したように燃料供給口に近い方からＸ方向またはＺ方向に段階的にあるいは連続的に空隙率・透過係数・屈曲係数のうち少なくとも一つの物性値を変更したものを、第１の多孔体層として使用することもできる。なお、第１の多孔体層の多孔体部材（#101〜#112）と第２の多孔体層の多孔体部材（#113）は同一材であってもよいし、異種材であってもよい。
【００５４】
また、本実施形態では多孔体層が２層構造である例を示したが、これに限定されるものではなく、３層以上の構造を有する多孔体層を適用することもできる。
【００５５】
さて、上記の液体燃料の濃度差や圧力差の低減を実現する多孔体部材#101〜#113のそれぞれの空隙率・屈曲係数・透過係数の決定は、多孔体部材の濃度計算が行える市販の流体計算ソフト、例えばＣＦＤ  Ｒｅｓｅａｒｃｈ  Ｃｏｒｐｏｒａｔｉｏｎ社のＣＦＤ−ＡＣＥ＋  Ｖ２００４やシーディー・アダプコ・ジャパン社のＳＴＡＲ−ＣＤ  ｖ３．２で可能である。
【００５６】
多孔体層７の厚みは、燃料極の拡散層（一般的には０．６ｍｍ程度）よりも大きくすることが望ましく、例えば１ｍｍ以上とすることができる。多孔体層の厚みが小さ過ぎると、メタノール濃度の均一化の効果を十分に得ることができないことがある。これに対して、上記の計算において、多孔体層の大きさの限界が示される場合がある。この限界値が多孔体層の厚みの上限値となる。すなわち、燃料供給口からの距離が大きすぎると、ＭＥＡ発電時に要求されるメタノール濃度よりも薄くなる、つまり十分な濃さの液体燃料が届かない、領域が生じてしまう。あらゆる姿勢でも動作する燃料電池を形成するには、多孔体層の最長部の長さは多孔体部材内の自然力により液体燃料を持ち上げられる高さよりも短くするのが望ましい。
【００５７】
多孔体層に用いられる多孔体部材は、微細な連通孔を有する多孔質構造であれば良く、例えば、三次元編目構造、点焼結構造あるいは細管構造を有するもの等が挙げられる。図４に、細管構造を有する多孔体部材の模式図を示す。図４に示す多孔体部材１５は、ハニカム状の細管構造を有する。ここで、細管構造（曲りがなく真っ直ぐの孔１６）を有する多孔体部材は屈曲係数τが１であるものと定義付けることができる。なお、屈曲した連通孔を有する多孔体部材は屈曲係数τは１を超える値で示される。
【００５８】
多孔体部材としては、より具体的には、カーボン焼結体、カーボンペーパー、スポンジ、セラミック等を使用することができる。セラミック多孔体としては、例えば炭化ケイ素多孔質体を挙げることができる。炭化ケイ素多孔質体は連続孔を有し、耐薬品性（特に燃料に含まれるアルコール類に対する耐薬品性）に優れる。炭化ケイ素多孔質体については、例えば非特許文献（竹内雍著，「多孔質体の性質とその応用技術」，富士テクノシステム，１９９９年，第６２頁）等に詳しく説明されている。またＰＦＣ（Ｐｌａｓｔｉｃ  Ｆｏｒｍｅｄ  Ｃａｒｂｏｎ）多孔体もセラミック多孔体として挙げられる。これも耐薬品性に優れる上、粒子径やバインダーの量を調節することで連続孔を設け、屈曲係数τをコントロールすることができる。また加工・成形も容易である。
【００５９】
カーボン焼結体は、例えばカーボン粒子とバインダーを混合し、これを焼結することにより製造することができる。このとき、例えばバインダーの含有量を調節することにより、物性値を制御することができる。具体的には、バインダーの含有量を大きくすることにより、空隙率εおよび透過係数Ｋを大きくすることができる。スポンジの場合には、例えば発泡剤の量を調節することにより物性値を制御することができる。カーボンペーパーの場合には、例えば使用するカーボン繊維の繊維径を変更することにより、物性値をコントロールすることができる。セラミックの場合には、材料粒子の粒径や焼結条件を変更することにより物性値をコントロールすることができる。
【００６０】
特に、上記多孔体部材を粒子状の素材で形成する場合は、上記算出方法で求まった空隙率εと透過係数Ｋから粒子径を決めることが出来る。すなわち、この場合の粒子径は下式（１）で空隙率εと透過係数Ｋに支配されることが知られている。言い換えれば、用いる粒子状の素材の粒径を下式（１）に従って調節することにより、空隙率εと透過係数Ｋとを所望の範囲に制御することができる。
【数３】
2007095541.tif 000004
【００６１】
ここで、ｄ：粒子径（ｍ）、Ｋ：透過係数（ｍ2）、ε：空隙率、Ｃ：比例定数、である。
【００６２】
このとき、比例定数としてＣａｒｍａｎ−Ｋｏｚｅｎｙ式のものとＢｌａｋｅ−Ｋｏｚｅｎｙ式のものが良く知られているが、その値は互いに約１０％ずれていることから、この関係を用いて粒子径を決める場合は約１０％の誤差を持つことを考慮すべきである。すなわち、式（１）において比例定数Ｃは、Ｃａｒｍａｎ−Ｋｏｚｅｎｙ式の比例定数からＢｌａｋｅ−Ｋｏｚｅｎｙ式の比例定数までの範囲の定数（Ｃａｒｍａｎ−Ｋｏｚｅｎｙ式の比例定数およびＢｌａｋｅ−Ｋｏｚｅｎｙ式の比例定数を含む）である。
【００６３】
また、図１の燃料電池において、燃料極２の拡散層を含めて複数の多孔体部材#101〜#113を接触させながら燃料流路として機能させる条件の一つとして、多孔体部材同士の確実な接触が挙げられる。例えば、多孔体部材#101〜#112にカーボン焼結体のような堅くてふたの締め付けなどによる外力では変形し難いものを用いた場合には、多孔体部材#113にはカーボンペーパーやスポンジのように外力で変形し易いものを用いることが望ましい。また、浸透力により燃料タンク１１の内張多孔体部材１４、多孔体部材#113、多孔体部材#101〜#112、燃料極２の拡散層、という順番で液体燃料が染み込んでいくように、多孔体部材の液体燃料に対する濡れ性だけでなく必要に応じて多孔体部材や拡散層の等価毛管径（多孔体部材内の連通孔を毛細管とみなした場合の毛管径）も限定することが望ましい場合もある。
【００６４】
図１に示した燃料電池は単独で使用することもできるし、積み重ねて使用することもできる。積み重ねて使用することにより、より大きな起電力を得ることができる。また、図１にはＭＥＡが一つだけ組み込まれている燃料電池を例示しているが、これに限られるものではなく、ＭＥＡが複数組み込まれていてもよい。
【００６５】
図１の燃料電池を運転しないときは、多孔体部材を外気に触れさせず、かつ、ふた１０をフレーム６に押さえる圧力や燃料タンク１１を多孔体部材#113に押さえる圧力を除くことで多孔体層８，９の間や多孔体層８と燃料極２の拡散層との間の接触を少なく、もしくは無くすることが望ましい。  
すなわち、まず多孔体部材が外気に触れたままだと多孔体部材やＭＥＡに含んでいた液体燃料が外気に蒸発し、燃料電池の運転再開時に定常運転状態に至るまで余分な時間を費やすためである。また、燃料タンクと多孔体部材が接触を維持し、多孔体部材とＭＥＡの接触がないままだと、多孔体部材に燃料タンクに収められている高濃度メタノール水溶液が高濃度のまま充満し、運転再開時にＭＥＡと多孔体部材が接触した際、著しく発電効率が落ちたりＭＥＡを破壊したりするおそれがあるからである。また、燃料タンクと多孔体部材の接触がなく、多孔体部材とＭＥＡが接触を維持したままでは、クロスオーバー現象により多孔体部材内の液体燃料を消費し尽くす恐れがあるかである。さらにもし、ＭＥＡが酸化剤極で発生した水を燃料極に戻す機能を有するものならば、クロスオーバー現象で酸化剤極に発生した水で燃料極が満たされたりして、運転再開時に定常運転状態に至るまで余分な時間を費やすからである。また、燃料タンクと多孔体部材とＭＥＡの接触が維持されたままの場合は、発電に使われないまま液体燃料が消費されるからである。上述した他の場合においても、発電に使われないまま液体燃料が消費されることがある。
【００６６】
また、上記では直接メタノール型燃料電池を対象として説明したがこれに限られるものではなく、本実施形態は２種類以上の液体の混合液（例えば、エタノール、プロパノールなどのアルコール類と水との混合液）を燃料とし、その燃料の輸送流路に多孔体部材を利用して燃料を液体状態で供給する燃料電池全てに適用可能なものである。
【００６７】
＜第２の実施形態＞
図５に本発明の第２の実施形態に係る燃料電池の分解斜視図を示す。
【００６８】
図１の各部、各機能と同一部分は同一符号で示し、その詳細な説明を省略する。
【００６９】
ＭＥＡ１の燃料極２の側の面に多孔体層２１が重ねられる。この多孔体層２１は、第１の多孔体層２２と第２の多孔体層２３とがＺ方向に積層された２層構造を有する。第１の多孔体層２２は、４種類の多孔体部材#201〜#204が組み合わされたものであり、第２の多孔体層２３は、単一の多孔体部材#205から形成されている。燃料極２の直上に、多孔体部材#201、多孔体部材#202がこの順に重ねられている。さらに多孔体部材#202の直上に、多孔体部材#202のほぼ半分の幅を有する多孔体部材#203と多孔体部材#204とが燃料極２に沿ってＸ方向に隙間なく並べて重ねられている。そして多孔体部材#203，#204の直上に、多孔体部材#205が重ねられている。以上説明したこと以外、例えばフレーム６、ふた１０、燃料タンク１１に関することなどは、図１と同様である。
【００７０】
ここで、多孔体部材#201〜#205の特徴を述べる。  
多孔体部材#201〜#205はそれぞれ空隙率、屈曲係数、透過係数が異なるもので、かつ多孔体部材#201〜#205の直下にある燃料極２の領域に応じて多孔体部材の積層の仕方やそれぞれの多孔体部材の厚みを変えたものである。
【００７１】
特に、多孔体部材#201〜#205のうち、多孔体部材#201，#203，#204はほとんど圧縮できないもの、多孔体部材#202は圧縮できるものである。ここでいう「圧縮できるもの」、「ほとんど圧縮できないもの」とは、ふた１０にて加えられる圧力によって、多孔体部材の寸法が、その面内ばらつきより大きく変形するものを「圧縮できるもの」、そうでないものを「ほとんど圧縮できない」ものと言う。多孔体部材#202は、ふた１０で多孔体層２１に圧力を掛けたときにその直下のＭＥＡ１の領域に応じて圧縮量が変化するように厚みを調節したものである。
【００７２】
そして、これらの特徴的な工夫をされた多孔体部材#201〜#205は、第１の実施形態の多孔体部材#101〜#113が実現していたのと同様に、多孔体部材#201〜#205の空隙率、屈曲係数、透過係数が全て同一な場合と比較して、高い出力と高い燃料利用効率が得られる燃料電池運転条件を持つ燃料電池を実現している。
【００７３】
ここで、本実施形態の有効性を述べる。  
多孔体部材の空隙率と透過係数、必要によっては屈曲係数も、調節すれば燃料極に供給される液体燃料の濃度差や圧力差を低減できることは既に述べた。しかし、多孔体部材の空隙率、屈曲係数、透過係数が調節できる範囲には多孔体部材の種類に応じてそれぞれ限界があり、１種類の多孔体部材だけでは所望の空隙率、屈曲係数、透過係数を実現するのが不可能な場合がある。その他、第１，２の多孔体層を重ねる際の接触の良否などで多孔体部材の組み合わせを限定すると、多孔体部材の空隙率、屈曲係数、透過係数の変更可能な範囲は更に限られてくる。
【００７４】
そこで、本実施形態では、空隙率、屈曲係数、透過係数を変更するための方法として第１の実施形態に加えて更に以下に説明する３つの方策を導入する。
【００７５】
（Ｉ）第１の方策は、複数種類の多孔体部材を積層し、それぞれの多孔体部材の厚みを燃料極の領域に応じて変えることで、空隙率、屈曲係数、透過係数の値を異ならせるものである。
【００７６】
図６に、多孔体部材の厚みと特性の関係を概念的に説明するための断面図を示す。図６の（ａ）は、異なる空隙率εを有する２種類の多孔体部材#01，#02を厚みを変えて厚み方向（図５中、Ｚ方向）に積層したものを示している。上側にあるのが多孔体部材#01であり、その下側にあるのが多孔体部材#02である。図６中、矢印は液体燃料の浸透方向を示す。多孔体部材#01の空隙率をε01とおき、多孔体部材#02の空隙率をε02（ε02＞ε01）とおくと、図６の（ｂ）に示されているように、空隙率ε01と空隙率ε02の間の空隙率ε’を有する単一の多孔体部材#00からなる多孔体層と見なすことができる構造を実現できる。
【００７７】
より具体的には、多孔体部材#01（空隙率ε01）の厚みをｔ01とおき、多孔体部材#02（空隙率ε02）の厚みをｔ02とおくと、見かけの空隙率ε’は以下の（ｉ）〜（iii）に説明するように算出することができる。  
（ｉ）まず、前述した流体計算ソフトにより、図６（ａ）で示した多孔体部材＃01，＃02を所定の燃料電池運転条件に適用した場合の濃度計算を行う。たとえば、図６（ａ）で示した多孔体部材＃01の上方から高濃度メタノール水溶液を供給する場合の、多孔体部材＃02の下方に位置するＭＥＡ（図示省略）に供給されるメタノール水溶液（図６中、低濃度メタノール水溶液）の濃度を算出する。  
（ii）次に、図６（ｂ）で示した単一の多孔体部材＃00がある空隙率を有すると仮定し、（ｉ）と同じ燃料電池運転条件に適用した場合の濃度計算を行う。たとえば、図６（ｂ）で示した多孔体部材＃00の上方から高濃度メタノール水溶液を供給する場合の、多孔体部材＃00の下方に位置するＭＥＡ（図示省略）に供給されるメタノール水溶液（図６中、低濃度メタノール水溶液）の濃度を算出する。  
（iii）次に、（ｉ）と（ii）で計算した濃度計算の結果を比較し、燃料電池の燃料供給に適用した場合に両者が等しい効果を示すか調べる。たとえば、（ｉ）で計算したＭＥＡに供給される低濃度メタノール水溶液の濃度と（ii）で計算したＭＥＡに供給される低濃度メタノール水溶液の濃度とが等しいか調べる。もし等しくないならば、（ii）に戻り、空隙率を異なる値に再仮定し、再度計算する。一方、もし等しいならば、（ii）で仮定した多孔体部材#00の空隙率が、求めたい見かけの空隙率ε’である。
【００７８】
多孔体部材#01と多孔体部材#02の厚み比を変えることで空隙率ε’を調節することができる。例えば、多孔体部材#02の厚み比を大きくすることにより、見かけの空隙率ε’の値を大きくすることができ、液体燃料を浸透し易くすることができる。すなわち、この方策は前述したように濃度拡散係数が多孔体部材の空隙率に依存するため、高濃度メタノール水溶液が多孔体部材の空隙率に依存して濃度が減少する効果を利用したものである。この関係は空隙率だけでなく屈曲係数や透過係数に対しても同様に示されるものである。
【００７９】
この方策は図５中の多孔体部材#201〜#204に適用されていて、多孔体部材の厚みをその下にある燃料極の領域に応じて、特にここでは燃料供給口からの距離に応じて変えている。例えば、多孔体部材#201に空隙率が最も大きなものを用い、多孔体部材#202，#204の順に空隙率が小さいものを用い、多孔体部材#203に空隙率が最も小さいものを用いる。そして、燃料供給口からＸ方向に離れるにつれ空隙率が大きい多孔体部材の厚み比が大きくなるように設定することにより所望の特性を得ることができる。
【００８０】
（II）第２の方策は、複数種類の多孔体部材を積層し、その積層の仕方を燃料極の領域に応じて変えることで、空隙率、屈曲係数、透過係数の値を異ならせるものである。
【００８１】
例えば、図５に示すように多孔体部材#202の直上に重ねる多孔体部材を、その下にある燃料極の領域に応じて、特にここでは燃料供給口からの距離に応じて、多孔体部材#203と多孔体部材#204とに使い分ける例が挙げられる。これは多孔体部材#202と多孔体部材#203の組み合わせだけでは所望の空隙率、屈曲係数、透過係数を実現できない領域には、多孔体部材#202と多孔体部材#204の組み合わせでそれを実現するというものである。
【００８２】
その他として、厚みが固定の多孔体部材（例えば市販のメンブレンなど）を用いる場合、物性値が異なる複数種類を組み合わせたり、１種類の多孔体部材を複数個組み合わせたりすることで、あたかも多孔体部材の厚みを自在に変えたように見なせることができる。このようにして、第１案と同様の効果を得ることができる。
【００８３】
（III）第３の方策は、多孔体部材として圧縮可能な多孔体部材を用い、その多孔体部材の圧縮の仕方を燃料極の領域に応じて変えることで、空隙率、屈曲係数、透過係数の値を異ならせるものである。
【００８４】
図７に圧縮された多孔体部材を説明するための模式図を示す。図７に示すように厚みｈを有する多孔体部材をＺ方向にΔｈだけ圧縮すると、透過係数Ｋおよび空隙率εの値を小さくすることができる。特に、圧縮率が小さい場合、多孔体部材を圧縮することで透過係数Ｋを大きく変動させることができる。一方、透過係数Ｋの場合と比べて変動幅は小さいが、やはり多孔体部材を圧縮することで空隙率εも変動させることができる。更に圧縮率を高くできる多孔体部材ならば空隙率εと透過係数Ｋだけでなく、屈曲係数τの値も多孔体部材の圧縮で調節することができる。以上の性質を利用すれば、１種類の多孔体部材を圧縮することで、空隙率、屈曲係数、透過係数の値を異ならせることができる。
【００８５】
この方策は図５中の多孔体部材#202に適用されている。多孔体部材#202は予め、圧縮前の厚みをその下にある燃料極２の領域に応じて、特にここでは燃料供給口からの距離に応じて、変えておく。この多孔体部材#202を配置し、ふた１０で多孔体部材#201〜#205に圧力を掛けることにより、直下の燃料極２の領域に応じて多孔体部材#202の圧縮量が変化させることができる。
【００８６】
ここで多孔体部材#201〜#204を設計する際に、上記の多孔体部材#202を圧縮すると透過係数Ｋが大きく変動する一方で、空隙率εの変動幅は透過係数Ｋに比べて小さいという性質を大いに利用しつつ、上記方策（Ｉ）〜（III）を活用することを考える。
【００８７】
すなわち、種類が異なり、かつ厚みが変化している多孔体部材#201，#203，#204を組み合わせることにより第１の多孔体層２２の見かけの空隙率ε’を主に調節することができる。また、厚みが変化している多孔体部材#202を用いることにより圧縮率を変動させて第１の多孔体層２２の見かけの透過係数Ｋ’を主に調節することができる。このようにすることで、多孔体部材の圧縮時の性質を利用しない場合より設計者の負担が軽減されるばかりでなく、適用する多孔体部材の種類の制限が大幅に緩和でき、これも本実施形態の効果の一つである。
【００８８】
また、上記方策（Ｉ）〜（III）のうちの１つを適用するだけでも、１種類の多孔体部材だけを用いる場合よりも、多孔体部材の空隙率、屈曲係数、透過係数が調節できる範囲を大幅に広げることができる極めて有効なものであることは上記の通りである。
【００８９】
＜第３の実施形態＞
図８に本発明の第３の実施形態に係る燃料電池の分解斜視図を示す。
【００９０】
図１の各部、各機能と同一部分は同一符号で示し、その詳細な説明を省略する。
【００９１】
ＭＥＡ１の燃料極２の側の面に多孔体層３１が重ねられる。この多孔体層３１は、第１の多孔体層３２と第２の多孔体層３３とがＺ方向に積層された２層構造を有する。第１の多孔体層３２は、多孔体部材#301と複合材料３５とが組み合わされた積層体であり、第２の多孔体層３３は、単一の多孔体部材#341から形成されている。燃料極２の直上に圧縮できる多孔体部材#301が重ねられ、次に、多孔体部材#301の直上に複合材料３５が重ねられ、複合材料３５の直上に多孔体部材#341が重ねられている。以上説明したこと以外、例えばフレーム６、ふた１０、燃料タンク１１に関することなどは、図１と同様である。
【００９２】
ここで、第３の実施形態で新たに導入された複合材料を中心にその特徴と有効性について述べる。
【００９３】
図９に図８の複合材料を説明するための平面図を示す。この複合材料３５は、板状の遮蔽部材３４に複数の貫通孔３４ａ（図８，９では３９個の孔を有する例を示している）を設け、この貫通孔３４ａにそれぞれ異なる多孔体部材３６（多孔体部材#302〜#340）が挿入されているものである。ここで用いられる遮蔽部材３４は、意図しない漏洩を除いてメタノール水溶液を透過させず、メタノール水溶液に溶けずにメタノール水溶液の浸透を遮蔽することが可能なものである。このような遮蔽部材としては、例えばポリイミド樹脂板等を挙げることができる。
【００９４】
図１０に複合材料を概念的に説明するための断面図を示す。例えば多孔体部材#302〜#340が同一の空隙率ε03を有するものである場合、すなわち図１０に示すように遮蔽部材３４の貫通孔それぞれに同一な多孔体部材３６が挿入されている場合、遮蔽部材３４の真に占める体積をＶrとし、複合材料３５の体積をＶpとすると、複合材料３５の見かけの空隙率ε”は下式（８）で算出することができる。
【００９５】
ε”＝ε03×（Ｖp−Ｖr）／Ｖp      ・・・（８）
また、多孔体部材#302〜#340の透過係数がＫ03である場合、複合材料３５の見かけの透過係数Ｋ”についても、空隙率ε”と同様に下式（９）で算出することができる。
【００９６】
Ｋ”＝Ｋ03×（Ｖp−Ｖr）／Ｖp      ・・・（９）
複合材料３５の見かけの屈曲係数τ”については、複合材料３５がある場合の拡散係数Ｄeffを測定し、前述した屈曲係数を算出する式（５）に代入すれば算出することができる。このように複合材料を用いることで、複合材料が空隙率ε”、透過係数Ｋ”、屈曲係数τ”を有する単一の多孔体部材から形成されている場合と同様な濃度分布、圧力分布を得ることが出来る。
【００９７】
図１０に示すように複合材料３５を用いる場合には、複合材料３５の直下に生じる濃度むらや圧力むらを緩和するために、複合材料の下に単一の多孔体部材３７（図８の多孔体部材＃301に相当する）から形成される層を設けることが好ましい。図１０中、メタノール濃度は白黒の濃淡で示した。薄色部分がメタノール濃度が低い部分を示し、濃色部分がメタノール濃度が高い部分を示している。
【００９８】
また、図９に示すように、燃料供給口との間の距離が大きくなるに従って遮蔽部材の単位面積あたりの貫通孔の開口面積を大きくすることで、複合材料３５において燃料供給口に近い側（図９では左側）では、遮蔽部材の割合が大きく、Ｘ方向に遠い程遮蔽部材の割合を小さくすることができ、これにより燃料供給口からの距離が大きくなる程空隙率と屈曲係数を小さくすることができる。これにより、多孔体部材#301と複合材料３５は、第１の実施形態の多孔体部材#101〜#112が実現していたのと同様に、多孔体部材#301と複合材料３５が占める空間全てが空隙率、屈曲係数、透過係数が同一な多孔体部材で占められている場合と比較して、高い出力と高い燃料利用効率が得られる燃料電池運転条件を持つ燃料電池を実現している。
【００９９】
上記複合材料における貫通孔のピッチｐや、複合材料の厚みｔ03と複合材料の直下の多孔体部材の厚みｔ04を変更することで、空隙率ε”はε03〜∞の範囲内、透過係数Ｋ”は０〜Ｋ03の範囲内、屈曲係数τ”は０〜τ03の範囲内で自由に決定することができる。ここでは、多孔体部材#302〜#340が同一材である場合について説明したが、異なる物性値を有する材料をそれぞれ適用することができる。これにより、空隙率ε”、透過係数Ｋ”、屈曲係数τ”をさらに広範囲で制御することができるようになる。
【０１００】
図８，９では遮蔽部材の厚みは一定とし、貫通孔の平均ピッチｐを燃料供給口からの距離に応じて変えることで所望の空隙率、透過係数を実現する構造を示している。ただしε”、Ｋ”は独立に決められないため、ここでも第２の実施形態と同様に、圧縮できる多孔体部材の性質、すなわち圧縮できる多孔体部材を圧縮すると透過係数Ｋが大きく変動する一方で、空隙率εは透過係数Ｋに比較して変動幅が小さい性質、を利用することができる。
【０１０１】
つまり、図８中の多孔体部材#301は複合材料３５の直下にあり、上記濃度むらや圧力むらを緩和するのが目的の層であるが、同時に、予め圧縮前の厚みをその下の燃料極の領域に応じて、特にここでは燃料供給口からの距離に応じて、変えておき、ふた１０で多孔体層３１に圧力を掛けたときに直下にある燃料極２の領域に応じて多孔体部材#301の圧縮量が変化するようにする。このように、複合材料の直下に設けられる多孔体部材を圧縮して用いる場合には、遮蔽部材には剛体を使用することが望ましい。
【０１０２】
そして多孔体部材#301と複合材料３５の組み合わせで見かけの空隙率を主に調節し、多孔体部材#301の圧縮量で見かけの透過係数を主に調節するという手法を取ることで、見かけの空隙率ε”と見かけの透過係数Ｋ”を独立に決められる場合と同様に燃料極触媒層に濃度差や圧力差の小さい状態で、メタノール水溶液を供給することができるのである。
【０１０３】
なお、ここでは遮蔽部材に貫通孔を複数空けたものに多孔体部材を挿入するものを挙げたが、多孔体部材に貫通孔を複数空けたものに遮蔽部材を挿入する方法も挙げられるなど、その積層方法に本実施形態は制限されるものではない。また、貫通孔の大きさ、ピッチあるいは数は図８，９に示したものに限定されるものではない。例えば、図９では、燃料供給口からの距離に応じて遮蔽部材の占める割合を変更する例を示したが、遮蔽部材の占める割合を一定として、貫通孔に挿入する多孔体部材#302〜#340の物性値を十分に異なるものとすることにより、所望の特性を得ることもできる。
【０１０４】
また、ここで述べた遮蔽部材は空隙率（ε＝０）、透過係数（Ｋ＝０）の多孔体部材とみなすことが出来、すなわち、遮蔽部材を任意の空隙率、屈曲係数、透過係数を持った多孔体部材と置き換えても本実施形態は同様の効果を得ることが出来る。
【０１０５】
＜第４の実施形態＞
図１１に本発明の第４の実施形態に係る燃料電池の分解斜視図を示す。
【０１０６】
図１の各部、各機能と同一部分は同一符号で示し、その詳細な説明を省略する。
【０１０７】
ＭＥＡ１の燃料極２の側の面に多孔体層４１が重ねられる。この多孔体層４１は、第１の多孔体層４２と第２の多孔体層４３とがＺ方向に積層された２層構造を有する。第１の多孔体層４２は、単一の多孔体部材#401から形成されており、第２の多孔体層４３は、単一の多孔体部材#402から形成されており、この多孔体部材#402には切り込みが設けられている。燃料極２の直上に、多孔体部材#401、多孔体部材#402がこの順に重ねられている。以上説明したこと以外、例えばフレーム６、ふた１０、燃料タンク１１に関することなどは、図１と同様である。
【０１０８】
ここで特に独創的な多孔体部材#402を中心に第４の実施形態の特徴と有効性について述べる。
【０１０９】
図１２の（ａ）と（ｂ）に図１１の第２の多孔体層を説明するための側面図と平面図をそれぞれ示す。多孔体部材#402は、多孔体部材#401との接触面積および厚みを、多孔体部材#401の下の燃料極の領域に応じて、特に本実施形態では燃料供給口からの距離に応じて変えたものである。図１２の（ａ）に示すように、多孔体部材#402は燃料供給口からＸ方向に離れるほど厚みが小さくなっている。さらに、この多孔体部材#402は、図１２の（ｂ）に示すように、燃料供給口からＸ方向に離れるほど多孔体部材#402の下に設けられた多孔体部材#401との接触面積が大きくなるように、また、燃料タンク１１内の内張多孔体部材１４との接触面積（燃料供給口４３ａの面積）が小さくなるように、切り込みが設けられている。このとき用いられるふた１０には、多孔体部材#402の切り込みに嵌るように凸部１０ａを設けておく。
【０１１０】
これにより、多孔体部材#401と多孔体部材#402は、第３の実施形態の複合材料３５で実現していたのと同様に、多孔体部材#401と多孔体部材#402が占める空間全てが空隙率、屈曲係数、透過係数が同一な多孔体部材で占められている場合と比較して、高い出力と高い燃料利用効率が得られる燃料電池運転条件を持つ燃料電池を実現している。
【０１１１】
すなわち、第３の実施形態の複合材料３５では断続的に多孔体部材を並べることで多孔体部材#302〜#340と多孔体部材#301との接触面積を燃料供給口からの距離に応じて変えることを実現しているとみなせる。これに対して、第４の実施形態では図１１の多孔体部材#402により連続的に多孔体部材#401との接触面積を燃料供給口からの距離に応じて変えているものと見なすことができる。そして、この多孔体部材#401と多孔体部材#402の効果は、見かけ上の空隙率、屈曲係数、透過係数を変えたのと同様な効果を得ているのは第３の実施形態で既に述べたのと同様である。第４の実施形態ではふた１０の凸部が第３の実施形態の遮蔽部材と同様に液体燃料の透過を遮蔽するものとしての働きを有する。
【０１１２】
また、第３実施形態で採用している図８に示された厚みが一定な多孔体部材#341や、その他の実施の形態で同様の位置に存在する多孔体部材（#113，#205）の役割を、第４の実施形態では多孔体部材#401が担っている。すなわち、多孔体部材#401は、多孔体部材#402の直下で生じる濃度むらや圧力むらを緩和する目的で設けられている。
【０１１３】
ここで、第２の多孔体層４３に、燃料供給口からの距離に従って厚みと他の多孔体部材との接触面積とを変化させた多孔体部材#402を用いる例を説明したが、これに限られるものではない。多孔体部材#402は厚みを一定にすることもできる。仮に多孔体部材#402の厚みが一定ならば、多孔体部材#401との接触面積が燃料供給口からの距離に従い変化すると同時に燃料の流路断面積も変化することになる。そこで、必要に応じて多孔体部材#402は、多孔体部材#401との接触面積だけでなく厚みも変化させ、第２の実施形態で説明したように物性値を調節することで、濃度や圧力をより均一化することができる。
【０１１４】
また、本実施形態においてふた１０は多孔体部材#402のくぼみに応じて凸部１０ａを設けてあるので、このふた１０を空隙率（ε＝０）、屈曲係数（τ＝∞）、透過係数（Ｋ＝０）の多孔体部材とみなすこともでき、第２の実施形態で述べたように複数種類の多孔体部材を積層し、それぞれの多孔体部材の厚みをその下にある燃料極の領域に応じて変えたときと同様の効果を得ることができる。
【０１１５】
上記のようにこの第４の実施形態は前述の第１〜第３の実施形態で示された手段を踏襲しつつ、より少ない種類の多孔体部材で、第１〜第３の実施形態と同様な効果が得られ、燃料極に供給される液体燃料の濃度や圧力差を低減することができる。すなわち、空隙率、屈曲係数、透過係数が同一な多孔体部材だけを用い、その多孔体部材における他の多孔体部材や燃料極との接触面積や厚みを均一にした場合と比較して、高い出力と高い燃料利用効率が得られる燃料電池運転条件を持つ燃料電池を実現することができる。
【０１１６】
なお、他の実施形態で用いられている多孔体部材を種々に組み合わせることもできる。例えば、必要に応じて図１に示す多孔体部材#101〜#112を組み合わせた積層体と図５に示す多孔体部材#202や図８に示す複合材料３５とを重ね合わせて多孔体層を形成することもできる。
【０１１７】
以上詳述した実施形態では直接メタノール型燃料電池を対象として説明したがこれに限られるものではなく、本発明の第２〜４の実施形態も第１の実施形態と同様に２種類以上の液体の混合液を燃料とし、その燃料の輸送流路に多孔体部材を利用して燃料を液体状態で供給する燃料電池全てに適用可能なものである。
【０１１８】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【０１１９】
［実施例］
（実施例１）
１３種類の異なる物性値を有する多孔体部材#101〜#113を用意し、図１の多孔体層７と同様な構造を有する多孔体層を形成した。
【０１２０】
多孔体部材#113は、空隙率εを０．９５とし、透過係数Ｋを３．０×１０-11ｍ2とした。計算領域は、図３に示す燃料極の触媒層、燃料極の拡散層、多孔体部材#101〜#113とした。燃料タンクからの燃料供給条件と、ＭＥＡのメタノールと水の消費量を境界条件として与えた。メタノールのモル流束は０．１５Ａ／ｃｍ2の発電時相当量とし、水のモル流束は０とした。燃料タンクに満たされた高濃度メタノール水溶液の濃度は９９．９９％とした。多孔体部材#101〜#113の屈曲係数は１．５とした。多孔体部材#101〜#112のＺ方向の厚みは１．０ｍｍとし、多孔体部材#113のＺ方向の厚みは１．５ｍｍとした。
【０１２１】
そして、質量保存則、運動量保存則、メタノールと水の化学種保存則を全て満たすものとし、かつ燃料極の拡散層表面にてメタノール濃度と圧力が均一となるように、ＣＦＤ  Ｒｅｓｅａｒｃｈ  Ｃｏｒｐｏｒａｔｉｏｎ社のＣＦＤ−ＡＣＥ＋  Ｖ２００４を用いて、多孔体部材#101〜#112の空隙率εと透過係数Ｋを算出した。このとき、ＭＥＡに供給される低濃度メタノール水溶液燃料の濃度は９．０３７％となるように算出した。この結果を図１３に示す。
【０１２２】
図１３に示すように、各多孔体部材#101〜#112の空隙率εと透過係数Ｋを調節することにより、図３中に白黒の濃淡で示したように燃料極に供給されるメタノール水溶液のメタノール濃度を均一化することができ、アノード触媒層にほぼ均一なメタノール濃度分布を有するメタノール水溶液を供給できることが計算により示された。
【０１２３】
（実施例２）
空隙率ε01が０．９で、厚みがｔ01の多孔体部材#01と、空隙率ε02が０．１で、厚みがｔ02の多孔体部材#02を用意した。多孔体部材#01を上層とし、多孔体部材#02を下層として積層することにより、図６に示す構造の多孔体層を形成した。このとき多孔体部材#01と多孔体部材#02の厚み比（ｔ01／ｔ02）を変更して、多孔体層の見かけの空隙率ε’を前述したように算出した。この結果を、表１に示す。
【表１】
2007095541.tif 000005
【０１２４】
多孔体部材#01と多孔体部材#02の厚み比を変えることで多孔体層の見かけの空隙率ε’をε01とε02の間の変更することができることが示された。このとき、空隙率が小さい多孔材料（多孔体部材#02）の厚み比を大きくすることにより、見かけの空隙率ε’を大きくすることができることを確認できた。
【０１２５】
（実施例３）
遮蔽部材を用意し、この遮蔽部材に格子状に貫通孔を形成した。この貫通孔に空隙率０．９、透過係数４．５×１０-11ｍ2の多孔体部材を挿入することにより複合材料を得た。このとき、この複合材料の体積Ｖpと遮蔽部材の体積Ｖaとの体積比（Ｖp：Ｖa）は、１１：３とした。この複合材料の下層に複合材料に用いたのと同質の多孔体部材を積層し、図１０に示す構造の多孔体層を得た。
【０１２６】
この多孔体層について実施例１と同様にして多孔体層の空隙率εと透過係数Ｋを算出した。このとき、屈曲係数τは不変とした。
【０１２７】
この結果、得られた多孔体層において、透過係数Ｋ”２．２３×１０-11ｍ2を有し、空隙率ε”０．５６を有する多孔体部材から形成された単一材料からなる多孔体層に相当する圧力分布と濃度分布が得られることが計算により示された。このときのメタノール水溶液の濃度分布は、図１０に白黒の濃淡で示した通りである。これにより複合材料と、その下に濃度むらや圧力むらを緩和するのが目的の単一の多孔体部材とを組み合わせた多孔体層がある場合、見かけ上この多孔体層の領域が空隙率ε”、透過係数Ｋ”で均一な多孔体部材である場合と同様な濃度分布、圧力分布を得ることが出来ることが計算により示された。
【０１２８】
（実施例４）
多孔体部材として東レ・ファインケミカル社のセルローススポンジを用意した。厚さｈが４ｍｍであるこの多孔体部材について、図７に示すようにΔｈを１ｍｍ，２ｍｍ，３ｍｍの３段階でＺ方向に圧縮した。このときの空隙率εを前述した式（３）により算出し、透過係数Ｋ（ｍ2）を前述した式（６）により算出した。この結果を図１４に示す。なお、ここでは圧縮率が小さいため屈曲係数は変化しないものとした。
【０１２９】
図１４に示すように、多孔体部材を圧縮することで透過係数が大きく変化した。一方、空隙率の変化は透過係数の場合と比べて小さいが、やはり多孔体部材を圧縮することで空隙率も変化した。
【図面の簡単な説明】
【０１３０】
【図１】本発明の第１の実施形態に係る燃料電池を示す分解斜視図。
【図２】屈曲係数を説明するための多孔体部材の模式図。
【図３】図１の第１の多孔体層を概念的に説明するための断面図。
【図４】細管構造を有する多孔体部材の模式図。
【図５】本発明の第２の実施形態に係る燃料電池を示す分解斜視図。
【図６】多孔体部材の厚みと特性の関係を概念的に説明するための断面図
【図７】圧縮された多孔体部材を説明するための模式図。
【図８】本発明の第３の実施形態に係る燃料電池を示す分解斜視図。
【図９】図８の複合材料を説明するための平面図。
【図１０】複合材料を概念的に説明するための断面図。
【図１１】本発明の第４の実施形態に係る燃料電池を示す分解斜視図。
【図１２】（ａ）は図１１の第２の多孔体層を説明するための側面図、（ｂ）は図１１の第２の多孔体層を説明するための平面図。
【図１３】実施例１の多孔体部材の種類と空隙率および透過係数との関係を示す特性線図。
【図１４】圧縮率と空隙率および透過係数との関係を示す特性線図。
【符号の説明】
【０１３１】
１…ＭＥＡ、２…燃料極、３…ＰＥＭ、４…酸化剤極、５…空気取り込み穴、６…フレーム、７，２１，３１，４１…多孔体層、８，２２，３２，４２…第１の多孔体層、９，２３，３３，４３…第２の多孔体層、９ａ，４３ａ…曝露部（燃料供給口）、１０…ふた、１１…燃料タンク、１２…容器、１３…スリット、１４…内張多孔体部材、３４…遮蔽部材、３４ａ…貫通孔、３５…複合材料、３６，３７…多孔体部材。
【図１】
2007095541.tif 000007
【図２】
2007095541.tif 000008
【図３】
2007095541.tif 000009
【図４】
2007095541.tif 000010
【図５】
2007095541.tif 000011
【図６】
2007095541.tif 000012
【図７】
2007095541.tif 000013
【図８】
2007095541.tif 000014
【図９】
2007095541.tif 000015
【図１０】
2007095541.tif 000016
【図１１】
2007095541.tif 000017
【図１２】
2007095541.tif 000018
【図１３】
2007095541.tif 000019
【図１４】
2007095541.tif 000020